(57)【要約】      （修正有）【課題】セルライトは対象部位の皮膚表面以外に対象部位内にも存在する。対象部位内のセルライトを適切に観察できるセルライト観察治具を提供する。【解決手段】セルライト観察治具１は対象部位内のセルライトの観察に用いられる。セルライト観察治具１は身体の対象部位内に存在するセルライトが押圧部２０により押され、皮膚表面に近づくように移動する。観察者はこれを観察する。対象部位に対する押圧部２０の移動経路を決めるガイド３０とを備える。【選択図】図１
2020000619.tif 000002
【特許請求の範囲】
【請求項１】
セルライトの観察に用いられるセルライト観察治具であって、
身体の対象部位を押す押圧部と、
前記対象部位に対する前記押圧部の移動経路を決めるガイドとを備える
セルライト観察治具。
【請求項２】
前記ガイドは前記押圧部が前記対象部位に対して傾斜した状態で前記対象部位を押すように前記移動経路を決める
請求項１に記載のセルライト観察治具。
【請求項３】
前記移動経路は第１移動経路および第２移動経路を含み、
前記ガイドは、前記押圧部が前記対象部位に対して傾斜した状態で前記対象部位を押すように前記第１移動経路を決める第１ガイドと、前記押圧部が前記対象部位を押した状態で前記対象部位に沿って移動するように前記第２移動経路を決める第２ガイドとを含む
請求項２に記載のセルライト観察治具。
【請求項４】
前記対象部位を押圧可能に前記押圧部が出没する開口を含むハウジングをさらに備え、
前記ガイドは前記ハウジングに支持される
請求項１〜３のいずれか一項に記載のセルライト観察治具。
【請求項５】
前記ハウジングは前記押圧部の移動を案内する案内孔をさらに含み、
前記案内孔は前記開口と対向し、前記押圧部の一部が外部に飛び出すように構成される
請求項４に記載のセルライト観察治具。
【請求項６】
前記案内孔は前記移動経路に沿う長孔である
請求項５に記載のセルライト観察治具。
【請求項７】
前記押圧部は棒を含む
請求項１〜６のいずれか一項に記載のセルライト観察治具。
【請求項８】
前記押圧部は前記対象部位と接触する接触部を含み、
前記接触部は丸みを帯びている
請求項１〜７のいずれか一項に記載のセルライト観察治具。
【請求項９】
前記セルライトを検出する検出部をさらに備える
請求項１〜８のいずれか一項に記載のセルライト観察治具。
【発明の詳細な説明】
【技術分野】
【０００１】
本発明はセルライトの観察に用いられるセルライト観察治具に関する。
【背景技術】
【０００２】
身体の皮膚上に光を照射し、皮膚からの反射光の偏向の度合に基づいて皮膚の生物物理学的な特性を取得する撮像装置が知られている。皮膚の生物物理学的な特性にはセルライトに関する情報が含まれる。特許文献１は従来の撮像装置の一例を開示している。
【先行技術文献】
【特許文献】
【０００３】
【特許文献１】特表２０１０−５１５４８９号公報
【発明の概要】
【発明が解決しようとする課題】
【０００４】
従来の撮像装置を用いて身体の対象部位に光を照射する場合、対象部位の皮膚表面に現れるセルライトに関する情報を取得できる。観察者は皮膚表面に現れるセルライトを観察できる。一方、セルライトは対象部位の皮膚表面以外に対象部位内にも存在することがある。このため、従来の撮像装置を用いてセルライトを観察する場合、観察者はセルライトを適切に観察できないおそれがある。
【課題を解決するための手段】
【０００５】
本発明に関するセルライト観察治具の一形態は、セルライトの観察に用いられるセルライト観察治具であって、身体の対象部位を押す押圧部と、前記対象部位に対する前記押圧部の移動経路を決めるガイドとを備える。
【発明の効果】
【０００６】
本発明に関するセルライト観察治具によれば、セルライトを適切に観察できる。
【図面の簡単な説明】
【０００７】
【図１】実施の形態１のセルライト観察治具の斜視図。
【図２】図１のＤ２−Ｄ２線に沿う断面図。
【図３】図１のＤ３−Ｄ３線に沿う断面図。
【図４】図１のセルライト観察治具の第１状態を示す側面図。
【図５】図１のセルライト観察治具の第２状態を示す側面図。
【図６】図１のセルライト観察治具の第３状態を示す側面図。
【図７】図１のセルライト観察治具の使用状態の一例を示す側面図（第１状態）。
【図８】図１のセルライト観察治具の使用状態の一例を示す側面図（第２状態）。
【図９】図１のセルライト観察治具の使用状態の一例を示す側面図（第３状態）。
【図１０】実施の形態２のセルライト観察治具のブロック図。
【発明を実施するための形態】
【０００８】
（セルライト観察治具が取り得る形態の一例）
本発明に関するセルライト観察治具の一形態は、セルライトの観察に用いられるセルライト観察治具であって、身体の対象部位を押す押圧部と、前記対象部位に対する前記押圧部の移動経路を決めるガイドとを備える。
上記セルライト観察治具によれば、押圧部が対象部位に押し付けられるように押圧部をガイドに沿って移動させることができる。押圧部が対象部位に対して移動することにより対象部位内に存在するセルライトが押圧部に押され、対象部位内で皮膚表面に近づくように移動する。セルライトが皮膚表面に近づくことにより皮膚表面にセルライトの形状が現れる。観察者はこれを観察できる。ガイドに沿って押圧部を移動させることができるため、押圧部に押されたセルライトが対象部位内において押圧部の移動経路の終点付近に集められる。このため、皮膚表面にセルライトの形状が現れやすく、セルライトを適切に観察できる。
【０００９】
前記セルライト観察治具の一例によれば、前記ガイドは前記押圧部が前記対象部位に対して傾斜した状態で前記対象部位を押すように前記移動経路を決める。
上記セルライト観察治具によれば、押圧部が対象部位を斜めから押すように押圧部をガイドに沿って移動させることができる。対象部位が斜めから押圧部に押される場合、対象部位内に存在するセルライトが対象部位内で皮膚表面に近づくように移動しやすくなる。このため、皮膚表面にセルライトの形状が現れやすく、セルライトを適切に観察できる。
【００１０】
前記セルライト観察治具の一例によれば、前記移動経路は第１移動経路および第２移動経路を含み、前記ガイドは、前記押圧部が前記対象部位に対して傾斜した状態で前記対象部位を押すように前記第１移動経路を決める第１ガイドと、前記押圧部が前記対象部位を押した状態で前記対象部位に沿って移動するように前記第２移動経路を決める第２ガイドとを含む。
上記セルライト観察治具によれば、押圧部が対象部位を押した状態で押圧部を対象部位に沿って移動させることができる。対象部位が斜めから押圧部に押され、その後に押圧部が対象部位に沿って移動する場合、対象部位内に存在するセルライトが対象部位内で皮膚表面に近づくように移動しやすくなる。このため、皮膚表面にセルライトの形状が現れやすく、セルライトを適切に観察できる。
【００１１】
前記セルライト観察治具の一例によれば、前記対象部位を押圧可能に前記押圧部が出没する開口を含むハウジングをさらに備え、前記ガイドは前記ハウジングに支持される。
上記セルライト観察治具によれば、セルライト観察治具を簡素に構成できる。
【００１２】
前記セルライト観察治具の一例によれば、前記ハウジングは前記押圧部の移動を案内する案内孔をさらに含み、前記案内孔は前記開口と対向し、前記押圧部の一部が外部に飛び出すように構成される。
上記セルライト観察治具によれば、観察者が案内孔から飛び出した押圧部を押すことにより押圧部をガイドに沿って移動させることができる。このため、セルライト観察治具を簡素に構成できる。また、押圧部の移動が案内孔により案内されるため、押圧部をガイドに沿って適切に移動させることができる。
【００１３】
前記セルライト観察治具の一例によれば、前記案内孔は前記移動経路に沿う長孔である。
上記セルライト観察治具によれば、押圧部の移動が案内孔により案内されるため、押圧部をガイドに沿って適切に移動させることができる。
【００１４】
前記セルライト観察治具の一例によれば、前記押圧部は棒を含む。
上記セルライト観察治具によれば、押圧部が対象部位を押すことに適した形状で構成されるため、押圧部が対象部位に対して移動することにより皮膚表面にセルライトの形状が現れやすくなる。このため、セルライトを適切に観察できる。
【００１５】
前記セルライト観察治具の一例によれば、前記押圧部は前記対象部位と接触する接触部を含み、前記接触部は丸みを帯びている。
上記セルライト観察治具によれば、接触部が対象部位との接触に適した形状で構成されるため、押圧部が対象部位に対して移動することにより皮膚表面にセルライトの形状が現れやすくなる。このため、セルライトを適切に観察できる。
【００１６】
前記セルライト観察治具の一例によれば、前記セルライトを検出する検出部をさらに備える。
上記セルライト観察治具によれば、セルライトを好適に検出できるため、セルライトを適切に観察できる。
【００１７】
（実施の形態１）
図１〜図３を参照して、セルライト観察治具１の構成について説明する。
セルライト観察治具１はセルライトＣ（図９参照）の観察に用いられる。一例では、身体の対象部位ＴＳおよびその付近に存在するセルライトＣを観察するためにセルライト観察治具１が用いられる（図９参照）。対象部位ＴＳは腕、腹部、背中、腰、臀部、大腿、および、膝裏のうちの少なくとも１つを含む。セルライト観察治具１は例えば観察者によって使用される。観察者はセルライトの観察対象者およびその補助者の少なくとも一方を含む。
【００１８】
図１に示されるように、セルライト観察治具１を構成する主な要素はハウジング１０、押圧部２０、ガイド３０、および、検出部４０である。ハウジング１０はセルライト観察治具１の外郭を構成する。ハウジング１０を構成する材料の一例は樹脂である。樹脂の一例は不飽和ポリエステル樹脂である。ハウジング１０は例えば長手方向および短手方向を規定可能な形状である。一例では、ハウジング１０は直方体形状である。ハウジング１０を構成する主な要素は上壁１１、一対の側壁１２、前壁１３、および、後壁１４（図２参照）である。上壁１１はハウジング１０の上面を構成する。一対の側壁１２はハウジング１０の側面を構成する。一対の側壁１２は例えばハウジング１０の長手方向に沿う第１方向ＤＸに延びる。一対の側壁１２は互いに対向する。前壁１３はハウジング１０の前面を構成する。前壁１３は例えばハウジング１０の短手方向に沿う第２方向ＤＹに延びる。前壁１３は第１方向ＤＸにおいてセルライト観察治具１の前方を規定する。後壁１４はハウジング１０の後面を構成する。後壁１４は例えば第２方向ＤＹに延びる（図３参照）。後壁１４は第１方向ＤＸにおいてセルライト観察治具１の後方を規定する。前壁１３および後壁１４は互いに対向する（図２参照）。ハウジング１０は開口１５（図２参照）を含む。開口１５はハウジング１０の底面に相当する部分に設けられる。一例では、開口１５は一対の側壁１２、前壁１３、および、後壁１４により規定される。すなわち、ハウジング１０の底面に相当する部分の全体が開口１５である。
【００１９】
押圧部２０は身体の対象部位ＴＳを押す。押圧部２０は例えば対象部位ＴＳに対して移動可能にガイド３０に支持される。一例では、押圧部２０は対象部位ＴＳを押圧可能に開口１５から出没する。対象部位ＴＳが押圧部２０に押されることにより対象部位ＴＳ内に存在するセルライトＣが押圧部２０に押され、セルライトＣが対象部位ＴＳ内で皮膚表面に近づくように移動する。セルライトＣが皮膚表面に近づくことにより皮膚表面にセルライトＣの形状が現れる。
【００２０】
押圧部２０を構成する材料の一例は樹脂である。樹脂の一例は不飽和ポリエステル樹脂である。押圧部２０は対象部位ＴＳを押すことに適した形状を有する。押圧部２０は例えば観察者が把握可能な長さを有する。一例では、押圧部２０は棒２１を含む。棒２１の形状は円柱または角柱である。一例では、棒２１の形状は円柱である。棒２１の長さはハウジング１０の大きさとの関係に基づいて設定される。棒２１の長さは１００ｍｍ〜２００ｍｍの範囲に含まれることが好ましい。一例では、棒２１の長さは１５０ｍｍである。
【００２１】
図２に示されるように、棒２１は対象部位ＴＳと接触する接触部２２、および、観察者が把握可能な把握部２３を含む。接触部２２は例えば棒２１の一方の端部２１Ａに設けられる。接触部２２は対象部位ＴＳとの接触に適した形状を有する。一例では、接触部２２は丸みを帯びている。接触部２２の投影面積は例えば一般的な人の両親指の面積の合計に基づいて設定される。接触部２２の投影面積は１０００ｍｍ２〜２０００ｍｍ２の範囲に含まれることが好ましい。一例では、接触部２２の投影面積は１５００ｍｍ２である。把握部２３は例えば棒２１の他方の端部２１Ｂに設けられる。押圧部２０は一対の腕部２４（図３参照）をさらに含む。一対の腕部２４は例えばガイド３０に支持される。一対の腕部２４は棒２１の外周面２１Ｃに設けられる。一例では、一対の腕部２４は棒２１の径方向に延びるように棒２１の外周面２１Ｃに設けられる（図３参照）。
【００２２】
ガイド３０は対象部位ＴＳに対する押圧部２０の移動経路ＭＰ（図４参照）を決める。ガイド３０はハウジング１０に支持される。ガイド３０を構成する材料の一例は金属である。金属の一例はアルミニウムである。移動経路ＭＰは第１移動経路ＭＰ１および第２移動経路ＭＰ２を含む（図４参照）。ガイド３０は第１ガイド３１および第２ガイド３２を含む。第１ガイド３１は押圧部２０が対象部位ＴＳに対して傾斜した状態で対象部位ＴＳを押すように第１移動経路ＭＰ１を決める。第１ガイド３１は例えば第２ガイド３２に対して後壁１４側に設けられる。押圧部２０が第１ガイド３１に沿って移動することにより押圧部２０が対象部位ＴＳを斜めから押す。対象部位ＴＳが斜めから押圧部２０に押される場合、対象部位ＴＳ内に存在するセルライトＣが対象部位ＴＳ内で皮膚表面に近づくように移動しやすくなる。第２ガイド３２は押圧部２０が対象部位ＴＳを押した状態で対象部位ＴＳに沿って移動するように第２移動経路ＭＰ２を決める。第２ガイド３２は例えば第１ガイド３１に対して前壁１３側に設けられる。押圧部２０が第２ガイド３２に沿って移動することにより押圧部２０が対象部位ＴＳを押しながら第１方向ＤＸに移動する。対象部位ＴＳが斜めから押圧部２０に押され、その後に押圧部２０が対象部位ＴＳに沿って移動する場合、対象部位ＴＳ内に存在するセルライトＣが対象部位ＴＳ内で皮膚表面に近づくように移動しやすくなる。
【００２３】
図３に示されるように、第１ガイド３１は一対の第１レール３１Ａを含む。第１レール３１Ａは押圧部２０の腕部２４を移動可能に支持する。第１レール３１Ａは例えば断面コの字形状である（図１参照）。一対の第１レール３１Ａはハウジング１０内に設けられる。一例では、一方の第１レール３１Ａが一方の側壁１２の内面１２Ａに取り付けられ、他方の第１レール３１Ａが他方の側壁１２の内面１２Ａに取り付けられる。第１レール３１Ａは対象部位ＴＳに対して傾斜するように側壁１２の内面１２Ａに取り付けられる（図２参照）。一例では、第１レール３１Ａは棒２１と上壁１１とがなす小さい方の角度Ａ（図２参照）が所定角度となるように側壁１２の内面１２Ａに取り付けられる。所定角度は３０°〜６０°の範囲に含まれることが好ましい。所定角度の一例は４５°である。
【００２４】
第２ガイド３２は一対の第２レール３２Ａを含む。第２レール３２Ａは押圧部２０の腕部２４を移動可能に支持する。第２レール３２Ａは例えば断面コの字形状である。一対の第２レール３２Ａはハウジング１０内に設けられる。一例では、一方の第２レール３２Ａが一方の側壁１２の内面１２Ａに取り付けられ、他方の第２レール３２Ａが他方の側壁１２の内面１２Ａに取り付けられる。第２レール３２Ａは第１方向ＤＸに沿うように側壁１２の内面１２Ａに取り付けられる（図２参照）。第１レール３１Ａおよび第２レール３２Ａは一体に構成されてもよく、別体に構成されてもよい。一例では、第２レール３２Ａは第１レール３１Ａとの間に隙間Ｓが形成されるように側壁１２の内面１２Ａに取り付けられる（図２参照）。
【００２５】
図１に示されるように、ハウジング１０は押圧部２０の移動を案内する案内孔１６をさらに含む。案内孔１６は開口１５と対向し、押圧部２０の一部が外部に飛び出すように構成される。一例では、案内孔１６は上壁１１に設けられ、棒２１の把握部２３が外部に飛び出すように構成される。観察者が案内孔１６から飛び出した把握部２３を把握して押すことにより押圧部２０をガイド３０に沿って移動させることができる。このため、セルライト観察治具１を簡素に構成できる。案内孔１６は例えば第１方向ＤＸにおける押圧部２０の移動を案内する機能、および、第２方向ＤＹにおける押圧部２０の移動を規制する機能を有する。一例では、案内孔１６は移動経路ＭＰに沿う長孔である。押圧部２０の移動が案内孔１６により案内されるため、押圧部２０をガイド３０に沿って適切に移動させることができる。第１方向ＤＸにおける案内孔１６の長さは第１方向ＤＸにおける押圧部２０が移動可能な範囲（以下「移動可能範囲」）よりも長い。押圧部２０の移動可能範囲は例えば棒２１の径方向における中心が第１方向ＤＸにおいて移動可能な範囲により規定される。押圧部２０の移動可能範囲は５０ｍｍ〜２００ｍｍの範囲に含まれることが好ましい。一例では、押圧部２０の移動可能範囲は１００ｍｍである。
【００２６】
検出部４０はセルライトＣを検出する。検出部４０はハウジング１０内に設けられる。検出部４０は例えばハウジング１０内において前壁１３側に設けられる。一例では、検出部４０は上壁１１の内面１１Ａに取り付けられる（図２参照）。検出部４０はセルライトＣを撮影可能なカメラ４１を含む。カメラ４１は例えばハウジング１０の撮影孔１７を介してセルライトＣを撮影する。撮影孔１７は例えば前壁１３に設けられる。一例では、カメラ４１は撮影孔１７を介してセルライト観察治具１の前方斜め下方向を撮影する。このため、セルライトＣが鳥瞰図のように撮影される。セルライト観察治具１は検出部４０を制御する制御部（図示略）をさらに備える。制御部はＣＰＵ（Central Processing Unit）またはＭＰＵ（Micro Processing Unit）である。セルライト観察治具１は検出部４０の検出結果を報知する報知部（図示略）をさらに備えていてもよい。
【００２７】
図４〜図６を参照して、セルライト観察治具１の動作について説明する。
図４は初期状態であるセルライト観察治具１の第１状態を示す。第１状態では、押圧部２０が第１方向ＤＸにおいて最も後方に配置される。一例では、押圧部２０は第１状態において接触部２２がハウジング１０内に収容される。押圧部２０が第１ガイド３１に沿って移動するように把握部２３が押されることによって、接触部２２が対象部位ＴＳに向けて開口１５から突出する。押圧部２０の腕部２４が第１方向ＤＸにおいて第１レール３１Ａの最も前方まで移動することによって、セルライト観察治具１が第２状態に移行する。
【００２８】
図５はセルライト観察治具１の第２状態を示す。第２状態では、押圧部２０の腕部２４が隙間Ｓに配置される。押圧部２０は第２状態において接触部２２が対象部位ＴＳに向けて開口１５から最も突出している。棒２１のうちの開口１５から突出した部分の長さ（以下「突出長さＬ」）は、５ｍｍ〜４０ｍｍの範囲に含まれることが好ましい。棒２１の突出長さＬは棒２１の長手方向における最大の長さにより規定される。一例では、棒２１の突出長さＬは２０ｍｍである。押圧部２０が第２ガイド３２に沿って移動するように把握部２３が押されることによって、接触部２２が対象部位ＴＳを押しながらセルライト観察治具１の前方に向けて移動する。押圧部２０の腕部２４が第１方向ＤＸにおいて第２レール３２Ａの最も前方まで移動することによって、セルライト観察治具１が第３状態に移行する。
【００２９】
図６はセルライト観察治具１の第３状態を示す。第３状態では、押圧部２０が第１方向ＤＸにおいて最も前方に配置される。一例では、押圧部２０は第３状態において接触部２２が前壁１３よりもセルライト観察治具１の前方に突き出る。このため、押圧部２０に押されたセルライトＣが対象部位ＴＳ内において移動経路ＭＰの終点付近に集められる。換言すれば、押圧部２０に押されたセルライトＣが対象部位ＴＳ内においてセルライト観察治具１の前方に集められる。そして、セルライト観察治具１の前方に集められたセルライトＣがカメラ４１により撮影される。なお、押圧部２０は把握部２３が押されなくなると初期状態に戻るように付勢部材（図示略）等によって付勢されてもよい。
【００３０】
図７〜図９を参照して、セルライト観察治具１の使用方法の一例について説明する。
セルライト観察治具１は例えば観察者により次の手順で使用される。図７に示されるように、第１手順では、セルライト観察治具１が対象部位ＴＳに載せられる。図８に示されるように、第２手順では、押圧部２０が第１ガイド３１に沿って移動するように把握部２３が押される。押圧部２０の接触部２２が対象部位ＴＳに向けて開口１５から突出するため、対象部位ＴＳが斜めから押圧部２０に押される。このため、対象部位ＴＳ内に存在するセルライトＣが皮膚表面に近づくように移動しやすくなる。また、対象部位ＴＳが押圧部２０に押されることによりマッサージ効果も期待できる。図８に示される二点鎖線は対象部位ＴＳの元の形状を示す。
【００３１】
図９に示されるように、第３手順では、押圧部２０が第２ガイド３２に沿って移動するように把握部２３が押される。押圧部２０の接触部２２が対象部位ＴＳを押しながらセルライト観察治具１の前方に向けて移動するため、対象部位ＴＳ内に存在するセルライトＣが対象部位ＴＳ内においてセルライト観察治具１の前方に集められる。具体的には、セルライト観察治具１の前方においてセルライトＣが対象部位ＴＳ内で皮膚表面に近づくように移動する。このため、皮膚表面にセルライトＣの形状が現れやすく、セルライトＣを適切に観察できる。図９に示される二点鎖線は対象部位ＴＳの元の形状を示す。なお、第３手順では、押圧部２０が対象部位ＴＳを押す状態（第２状態）を維持しながら、セルライト観察治具１の前方に向けてハウジング１０を押してもよい。
【００３２】
第３手順を終えると、セルライト観察治具１の前方に集められたセルライトＣがカメラ４１により撮影される。このため、セルライトＣを視覚的に観察しにくい状況においてもセルライトＣを適切に観察できる。また、セルライト観察治具１では、セルライトＣの観察に物理的な方法が用いられるため、低コストでセルライトＣを観察できる。
【００３３】
（実施の形態２）
実施の形態２のセルライト観察治具１は、以下に説明する点において実施の形態１のセルライト観察治具１と相違し、その他の点において実施の形態１のセルライト観察治具１と実質的に同じ構成を備える。
【００３４】
図１０はセルライト観察治具１の電気的な接続関係の一例を示す。セルライト観察治具１は制御部５０、アクチュエータ５１、操作部５２、および、報知部５３をさらに備える。制御部５０はＣＰＵまたはＭＰＵである。制御部５０は例えば検出部４０およびアクチュエータ５１を制御する。アクチュエータ５１は押圧部２０をガイド３０に沿って移動させる。一例では、アクチュエータ５１は押圧部２０を第１ガイド３１および第２ガイド３２に沿って移動させる。操作部５２はセルライト観察治具１の動作に関する情報を入力可能である。操作部５２は例えばハウジング１０の上壁１１に設けられる。一例では、操作部５２の操作に応じてアクチュエータ５１が制御され、押圧部２０がガイド３０に沿って移動する。押圧部２０が対象部位ＴＳに対して移動することにより対象部位ＴＳ内に存在するセルライトＣが押圧部２０に押され、対象部位ＴＳ内で皮膚表面に近づくように移動する。報知部５３は検出部４０の検出結果を報知する。報知部５３は例えばハウジング１０の上壁１１に設けられる。実施の形態２のセルライト観察治具１は案内孔１６、把握部２３、および、報知部５３の少なくとも１つを省略してもよい。
【００３５】
（変形例）
上記各実施の形態に関する説明は本発明に関するセルライト観察治具が取り得る形態の例示であり、その形態を制限することを意図していない。本発明は上記各実施の形態以外に例えば以下に示される各実施の形態の変形例、および、相互に矛盾しない少なくとも２つの変形例が組み合わせられた形態を取り得る。
【００３６】
・実施の形態２の押圧部２０の構成は任意に変更可能である。一例では、押圧部２０は突起（図示略）を含む。突起は対象部位ＴＳと接触する接触部を含む。接触部は対象部位ＴＳとの接触に適した形状を有する。接触部は丸みを帯びている。
【００３７】
・実施の形態２のアクチュエータ５１の機能は任意に変更可能である。第１例では、アクチュエータ５１は押圧部２０を第１ガイド３１に沿って移動させる。この場合、操作部５２の操作に応じてアクチュエータ５１が制御され、押圧部２０が第１ガイド３１に沿って移動する。そして、セルライト観察治具１の第２状態において、押圧部２０の把握部２３が押されることにより押圧部２０が第２ガイド３２に沿って移動する。第２例では、アクチュエータ５１は押圧部２０を第２ガイド３２に沿って移動させる。この場合、セルライト観察治具１の第１状態において、押圧部２０の把握部２３が押されることにより押圧部２０が第１ガイド３１に沿って移動する。そして、セルライト観察治具１の第２状態において、操作部５２の操作に応じてアクチュエータ５１が制御され、押圧部２０が第２ガイド３２に沿って移動する。
【００３８】
・第１レール３１Ａの構成は任意に変更可能である。一例では、第１レール３１Ａは棒２１と上壁１１とがなす小さい方の角度Ａが直角または略直角となるように側壁１２の内面１２Ａに取り付けられる。
【００３９】
・ガイド３０の構成は任意に変更可能である。第１例では、第１ガイド３１および第２ガイド３２は一体的に構成される。すなわち、第１レール３１Ａおよび第２レール３２Ａが互いに連続している。第２例では、第１ガイド３１がガイド３０から省略される。この場合、ガイド３０は押圧部２０が対象部位ＴＳを押した状態で対象部位ＴＳに沿って移動するように移動経路ＭＰを決める。この例では、押圧部２０は接触部２２が対象部位ＴＳに向けて開口１５から突出した状態が常に形成されるようにガイド３０に支持される。第３例では、第２ガイド３２がガイド３０から省略される。この場合、ガイド３０は押圧部２０が対象部位ＴＳに対して傾斜した状態で対象部位ＴＳを押すように移動経路ＭＰを決める。この例では、押圧部２０が対象部位ＴＳを押す状態を維持しながら、セルライト観察治具１の前方に向けてハウジング１０を押すように使用してもよい。
【００４０】
・案内孔１６の構成は任意に変更可能である。一例では、案内孔１６は一対の側壁１２、前壁１３、および、後壁１４により規定される。この場合、ハウジング１０の上壁１１の全体が案内孔１６である。
【００４１】
・ハウジング１０の構成は任意に変更可能である。第１例では、ハウジング１０を構成する主な要素は上壁１１、一対の側壁１２、前壁１３、後壁１４、および、底壁（図示略）である。開口１５はハウジング１０の底壁に設けられる。開口１５の大きさは例えば押圧部２０の移動可能範囲に基づいて設定される。第２例では、案内孔１６および撮影孔１７の少なくとも一方がハウジング１０から省略される。
【００４２】
・セルライト観察治具１の構成は任意に変更可能である。一例では、セルライト観察治具１はハウジング１０および検出部４０の少なくとも一方を省略した形態を取り得る。
【産業上の利用可能性】
【００４３】
本発明に関するセルライト観察治具は、家庭用および業務用をはじめとする各種のセルライト観察治具に利用できる。
【符号の説明】
【００４４】
１      ：セルライト観察治具
１０    ：ハウジング
１５    ：開口
１６    ：案内孔
２０    ：押圧部
２１    ：棒
２２    ：接触部
３０    ：ガイド
３１    ：第１ガイド
３２    ：第２ガイド
４０    ：検出部
Ｃ      ：セルライト
ＭＰ    ：移動経路
ＭＰ１  ：第１移動経路
ＭＰ２  ：第２移動経路
ＴＳ    ：対象部位
【図１】
2020000619.tif 000003
【図２】
2020000619.tif 000004
【図３】
2020000619.tif 000005
【図４】
2020000619.tif 000006
【図５】
2020000619.tif 000007
【図６】
2020000619.tif 000008
【図７】
2020000619.tif 000009
【図８】
2020000619.tif 000010
【図９】
2020000619.tif 000011
【図１０】
2020000619.tif 000012